(57)【要約】【課題】  端部に笠木が取付けられた壁の出隅部（つまり笠木の出隅部）にも収まり良く強固に取付けることができる。【解決手段】  壁１の出隅部２に手摺り棒４を取付けるための手摺りブラケット６である。手摺りブラケット６の出隅取付け部３を、出隅部２を介して隣接する２面７、８のうち一方の面７に当接して固定するための壁固定部９と、該壁固定部９の一端部から突出した出隅部２を介して隣接する２面７、８のうち他方の面８に当接して位置決めするための壁固定部９の横長さよりも短い位置決め突部とで構成する。壁固定部９に壁打ち込み用の固着具１１を挿入するための固着具挿通孔１２を設ける。固着具挿通孔１２を固着具１１を挿入した際に挿入方向の先端程位置決め突部から離れる方向となるように傾斜している。【選択図】        図１
2007085110.tif 000002
【特許請求の範囲】
【請求項１】
一端部に壁の出隅部に取付けるための出隅取付け部を設け且つ他端部に手摺り棒を取付ける手摺り棒取付け部を設けた手摺りブラケットであって、出隅取付け部を、出隅部を介して隣接する２面のうち一方の面に当接して固定するための壁固定部と、該壁固定部の一端部から突出した出隅部を介して隣接する２面のうち他方の面に当接して位置決めするための壁固定部の横長さよりも短い位置決め突部とで構成し、壁固定部に壁打ち込み用の固着具を挿入するための固着具挿通孔を設け、該固着具挿通孔を固着具を挿入した際に挿入方向の先端程位置決め突部から離れる方向となるように傾斜した傾斜孔となっていることを特徴とする手摺りブラケット。
【請求項２】
壁固定部に固着具挿通孔を置決め用突出部の突出方向と直交する方向に複数個設けて成ることを特徴とする請求項１記載の手摺りブラケット。
【発明の詳細な説明】
【技術分野】
【０００１】
本発明は、壁の出隅部に手摺り棒を取付けるための手摺りブラケットに関するものである。
【背景技術】
【０００２】
従来から壁の出隅等の壁の出隅部に手摺り棒を縦方向に取付けることが特許文献１により知られている。
【０００３】
この特許文献１のものは図７に示すようなもので、手摺りブラケット６’の一端部に壁固定部９’を設け且つ他端部に手摺り棒４’を取付けるための手摺り棒取付け部５’を設けたもので、壁固定部９’の背面部はＬ字状となっていてＬ字状の両片がいずれも壁１’の出隅２’を構成する２壁面に固定するための同じ長さの壁固定片５０となっている。
【０００４】
ところが、間仕切壁の端部、手摺り壁や階段の手摺り壁等の壁１’の端部には図８に示すように笠木１３’が取付けられるものであり、該笠木１３’は巾方向の両端部が壁面１ａ’よりも突出している。このように端部に笠木１３’が設けられた壁１’の出隅部２’、つまり、壁１’端部の笠木１３’の出隅部２’に特許文献１のようにＬ字状の両固定片５０を取付けようとしても、図８に示すように、一方の固定片５０は笠木１３の前面に当接するが、他方の固定片５０は笠木１３’の側端面に一部が当接するのみで該他方の固定片５０が笠木１３’の側端面を越えて飛び出してしまうので、使用することができない。強いて取付けたとしても、上記他方の固定片５０が笠木１３’の側端面を越えて飛び出した部分に手や衣服等が引っ掛かるという問題がある。しかも、笠木１３’の巾方向の両端部が壁面１ａ’よりも突出しているので、笠木１３’の前面に当接した一方の固定片５０から固着具１１’を打ち込んでも、固着具１１’の壁１’への打ち込み部分と壁面１ａまでの距離Ｍが短過ぎて固着強度が弱いだけでなく、笠木１３’の巾方向の両端部が壁面１ａ’からの突出長さは現場により種々異なるので、固着具１１’が壁１’に打ち込めないというおそれもある。
【特許文献１】特開２０００−２４０２４８号公報
【発明の開示】
【発明が解決しようとする課題】
【０００５】
本発明は上記の従来の問題点に鑑みて発明したものであって、端部に笠木が取付けられない壁の出隅部に取付けることができるのは勿論、端部に笠木が取付けられた壁の出隅部（つまり笠木の出隅部）にも収まり良く確実且つ強固に取付けることができる手摺りブラケットを提供することを課題とするものである。
【課題を解決するための手段】
【０００６】
上記課題を解決するために本発明に係る手摺りブラケットは、一端部に壁１の出隅部２に取付けるための出隅取付け部３を設け且つ他端部に手摺り棒４を取付ける手摺り棒取付け部５を設けた手摺りブラケット６であって、出隅取付け部３を、出隅部２を介して隣接する２面７、８のうち一方の面７に当接して固定するための壁固定部９と、該壁固定部９の一端部から突出した出隅部２を介して隣接する２面７、８のうち他方の面８に当接して位置決めするための壁固定部９の横長さよりも短い位置決め突部１０とで構成し、壁固定部９に壁打ち込み用の固着具１１を挿入するための固着具挿通孔１２を設け、該固着具挿通孔１２を固着具１１を挿入した際に挿入方向の先端程位置決め突部１０から離れる方向となるように傾斜した傾斜孔となっていることを特徴とするものである。
【０００７】
このような構成とすることで、端部に笠木１３を設けない壁１の出隅部２において、出隅部２を介して隣接する２面７、８のうち一方の面７に壁固定部９を当接すると共に他方の面に位置決め突部１０を当接することで出隅部２に位置決めした状態で壁固定部９に設けた固着具挿通孔１２から固着具１１を挿入して壁１に固着することで手摺りブラケット６を端部に笠木１３を設けない出隅部２に取付けることができるのは勿論のこと、端部に笠木１３を設けた壁１であっても、出隅部２（つまり笠木１３の出隅部２）を介して隣接する２面７、８のうち一方の面７である笠木１３の前面に壁固定部９を当接すると共に他方の面８である笠木１３の側端面に位置決め突部１０を当接することで出隅部２に位置決めした状態で壁固定部９に設けた固着具挿通孔１２から固着具１１を挿入して壁１に固着して取付けることができ、この場合、位置決め突部１０は突出長さが短いので、笠木１３の厚みよりも短くすることができて先端が笠木１３の側単面を越えてから飛び出さないように収めることができ、しかも、笠木１３の側端部が壁１の壁面１ａから突出しているといえども、傾斜孔となっている固着具挿通孔１２から固着具１１を壁１に対して傾斜して打ち込むことができて、確実且つ強固に固着具１１で固着できると共に、現場において笠木１３の側端部の壁１の壁面１ａから突出長さが異なっても、固着具１１を確実に壁１に打ち込むことができる。
【０００８】
また、壁固定部９に固着具挿通孔１２を位置決め突部１０の突出方向と直交する方向に複数個設けることが好ましい。
【０００９】
このような構成とすることで、笠木１３の側端部の壁１の壁面１ａから突出長さが長い現場、あるいは壁１の厚みが短い現場等により固着具１１を斜めに打ち込むための固着具挿通孔１２を選択することで、固着具１１が壁面１ａの外に突出しないようにできる。
【発明の効果】
【００１０】
本発明は、端部に笠木が取付けられない壁の出隅部だけでなく、端部に笠木が取付けられた壁の出隅部（つまり笠木の出隅部）であっても手摺りブラケットを収まり良く確実且つ強固に取付けることができる。
【発明を実施するための最良の形態】
【００１１】
以下、本発明を添付図面に示す実施形態に基いて説明する。
【００１２】
本発明の手摺りブラケット６は壁１の出隅部２（コーナ壁の出隅部、間仕切り壁の端部の出隅部、階段の壁の端部の出隅部等）に手摺り棒４を取付けるためのものである。
【００１３】
手摺りブラケット６は、主体を構成するブラケット本体６ａと、ブラケットカバー６ｂと、ベース部材６ｃと、補強部材６ｄとで構成してある。
【００１４】
ブラケット本体６ａは、図４に示すようなもので、アルミニウムのダイキャストにより一体成形してあり、胴部１５の一端部がベース部１６となり、他端部が手摺り棒４を保持固定するための手摺り棒取付け部５となっている。また、実施形態ではブラケットカバー６ｂは合成樹脂製であり、ベース部材６ｃはアルミニウムのダイキャスト製であり、補強部材６ｄはステンレス製である。
【００１５】
胴部１５には側方に開口する凹所１７が設けてある。
【００１６】
ベース部１６は背面にベース部材６ｃを嵌め込むための凹没部１８が設けてある。ベース部１６には図４に示すように複数個のねじ挿入孔１９と複数個の大径孔２０とが設けてある。凹没部１８に嵌め込まれるベース部材６ｃは図５に示すようなもので，このベース部材６ｃには上記複数個のねじ挿入孔１９に対応したねじ孔２１と、大径孔２０に対応した固着具挿通孔１２が設けてあり、ベース部材６ｃを凹没部１８に嵌め込んだ状態でねじ挿入孔１９から挿入したねじ具２３をねじ孔２１に螺着してベース部材６ｃをベース部１６に固着してあって、該ベース部材６ｃを固着したベース部１６により壁固定部９が構成してある。
【００１７】
ここで、補強部材６ｄは凹所１７内に配置されて胴部１５、ベース部１６、手摺り棒取付け部５に沿わせて取付けられるが、この補強部材６ｄの取付け部分においては、図１に示すように、補強部材６ｄの一端部に設けた孔２２からねじ具２３を挿入してねじ挿入孔１９を通してねじ孔２１に螺着することで、補強部材６ｄ、ベース部材６ｃ、ブラケット本体６ａを固着している。
【００１８】
上記壁固定部９のベース部１６の背面部の一端部から背方に向けて直角に位置決め突部１０が一体に突設してある。この位置決め突部１０の突出長さは壁固定部９よりも短い。また、壁固定部９の横長さは後述の間仕切り壁や階段の壁等の壁１の端部に設けられる笠木１３の横巾よりも短く、また、位置決め突部１０の突出長さは上記笠木１３の厚みよりも短い。
【００１９】
上記のように壁固定部９の一端部に位置決め突部１０を突出して壁１の出隅部２に取付けるための出隅取付け部３が構成してある。したがって、この出隅取付け部３は一片が長く且つ他片が短いＬ字状をしており、短い方の位置決め突部１０は出隅部２を介して隣接する２面７、８のうち他方の面８に当接して位置決めするためのものであり、長い方の壁固定部９は出隅部２を介して隣接する２面７、８のうち一方の面７に当接して固着具挿通孔１２から固着具１１を打ち込んで壁１に固着するための部位となる。
【００２０】
ここで、壁固定部９に設けた固着具挿通孔１２（つまり、実施形態ではベース部材６ｃに設けた固着具挿通孔１２）は、図１に示すように固着具挿通孔１２を固着具１１を挿入した際に挿入方向の先端程位置決め突部１０から離れる方向となるように傾斜した傾斜孔となっている。
【００２１】
手摺り棒取付け部５は手摺り棒４の曲率に対応した曲率の断面弧状をしており、この手摺り棒取付け部５の周囲部分又は手摺り棒取付け部５の略全面が受け面部５ａとなっていて断面円状をした手摺り棒４の周方向の一部を受け面部５ａに当ててぴったりと受けることができるようになっている。手摺り棒取付け部５には手摺り棒４の軸方向と平行な方向に位置決め用突部２４が突設してある。
【００２２】
また、手摺り棒取付け部５には複数の固着具挿入孔３０が設けてある。固着具挿入孔３０が凹所１７に開口している。
【００２３】
手摺り棒取付け部５には手摺り棒４を直接又は図１に示すような保護カバー２５を介して取付けるようになっている。
【００２４】
手摺り棒４の端部を保護する保護カバー２５は図１乃至図３に示すように、一端部が閉塞された有底筒状をしたもので、カバー主体２５ａと、カバー副体２５ｂとを組み合わせて構成してある。
【００２５】
カバー主体２５ａはアルミニウムのダイキャストにより形成してあり、断面半円状をした半円状部２７の一端部に円板状をした底片部３３が一体に設けてあり、半円状部２７の周方向の両端部の外面部に係止部３４が設けてある。カバー副体２５ｂは合成樹脂製で断面半円状をしている。半円状をしたカバー副体２５ｂの周方向の両端部の内面部に被係止部３５が設けてある。上記カバー主体２５ａの半円状部２７の周方向の両端部にカバー副体２５ｂの周方向の両端部を合致させて係止部３４に被係止部３５を係止することで半円状部２７と半円状をしたカバー副体２５ｂとで円筒部を構成すると共にこの円筒部の一端が円板状をした底片部３３により閉塞され、これにより一端部が閉塞された有底筒状の保護カバー２５を構成する。
【００２６】
ここで、保護カバー２５をカバー主体２５ａと、カバー副体２５ｂとの２部材を組み合わせて構成したのは以下の理由による。すなわち、一端部が閉塞された有底筒状の保護カバー２５をダイキャストや射出成形により成形しようとすると、有底筒状の保護カバー２５の円筒部の内部は型抜きのための抜き勾配を取る必要があり、このため、円筒部の内部の径は開口端部側程大きくなり、このようにして形成したものは手摺り棒４に被嵌した場合、円筒部の開口縁と手摺り棒４の外面との間に小隙間が発生してがたつくという問題があるが、上記のようにカバー主体２５ａと、カバー副体２５ｂとの２部材を組み合わせて構成すると、円筒部の内部の径は軸方向の各部で同じとなり、手摺り棒４に被嵌した場合、円筒部の開口縁と手摺り棒４の外面との間に小隙間が発生しない。
【００２７】
カバー主体２５ａの半円状部２７の周方向の中間部には開口窓部３６が設けてあり、開口窓部３６の周囲が被挟持部３７となっている。この開口窓部３６の周囲の被挟持部３７の外面は保護カバー２５の外周面よりも凹ませてあって嵌め込み凹部３８となっており、このように被挟持部３７の外面を保護カバー２５の外周面よりも凹ませることで被挟持部３７の肉厚を保護カバー２５の他の部位の肉厚よりも薄肉としてある。
【００２８】
上記の構成の手摺りブラケット６は、手摺りブラケット６を壁１の出隅部２に所定間隔で取付けた後に、保護カバー２５を被嵌した手摺り棒４の端部を各手摺りブラケット６の手摺り棒取付け部５に保持固着したり、あるいは、両端部に保護カバー２５を被嵌した状態で手摺り棒４の両端部に手摺りブラケット６を取付けた状態で、複数の手摺りブラケット６を壁１の出隅部２にそれぞれ固着したりすることで取付ける。
【００２９】
図１には間仕切り壁の端部の出隅部、階段の壁の端部の出隅部のように端部に笠木１３を設けた壁１の出隅部２（つまり笠木１３の出隅部２）に手摺りブラケット６を取付ける実施形態が示してある。
【００３０】
壁１の出隅部２への手摺りブラケット６の取付けは、図１に示すように、出隅部２（つまり笠木１３の出隅部２）を介して隣接する２面７、８のうち一方の面７である笠木１３の前面に壁固定部９を当接すると共に他方の面８である笠木１３の側端面に位置決め突部１０を当接して引掛けることで手摺りブラケット６を笠木１３の出隅部２に位置決めする。この場合、位置決め突部１０は突出長さが短くて笠木１３の側端面に引掛けて位置決めするためのものであるから、その先端が笠木１３の側端面を越えて飛び出さないように収めることができる。このように壁１の端部の笠木１３の出隅部２に手摺りブラケット６を位置決めした状態で、壁固定部９に設けた固着具挿通孔１２から固着具１１を挿入して壁１に打ち込むことで固着する。
【００３１】
ここで、本発明においては、固着具挿通孔１２が傾斜孔となっているので、固着具挿通孔１２に挿入して打ち込まれる固着具１１は先端程位置決め突部１０から離れるように傾斜して壁１に打ち込まれる。したがって、図１のように笠木１３の側端部が壁１の壁面１ａから突出しているといえども、傾斜孔となっている固着具挿通孔１２から固着具１１を傾斜させて壁１の巾方向の中央部分に向けて打ち込むことができ、確実且つ強固に固着具１１で固着できることになる。また、笠木１３の側面に対する壁面１ａの位置が図１のイやロのように現場で異なる場合があるが、このように笠木１３の側端部の壁１の壁面１ａから突出長さが異なっても、固着具１１を壁１の巾方向の中央部分に向けて確実に壁１に打ち込むことができる。
【００３２】
更に、笠木１３の側面に対する壁面１ａの位置が図１のハのような現場においては笠木１３の側端部の壁１の壁面１ａから突出長さが長いので、位置決め突部１０に最も近い固着具挿通孔１２から斜めに打ち込んだ固着具１１の一部が壁１の外に露出するおそれがあるので、このような場合は位置決め突部１０に最も近い固着具挿通孔１２からは固着具１１を打ち込まず、他の固着具挿通孔１２から固着具１１を打ち込んで固着する。つまり、図１において符号Ａで示す固着具１１は打ち込まない。また、図示していないが、壁１の厚みが短い場合は、位置決め突部１０に最も遠い固着具挿通孔１２から斜めに固着具１１を打ち込むと固着具１１の先端が壁１の外に突出してしまうおそれがある。したがって、このような場合は、位置決め突部１０に最も遠い固着具挿通孔１２からは固着具１１を打ち込まず、他の固着具挿通孔１２から固着具１１を打ち込んで固着する。このように、本発明においては、壁固定部９に固着具挿通孔１２が位置決め突部１０１０の突出方向と直交する方向に複数個設けてあるので、複数の固着具挿通孔１２を選択して固着具１１を斜めに打ち込むことで、笠木１３の側端部の壁１の壁面１ａから突出長さが長い現場、あるいは壁１の厚みが短い現場等であっても対応できる。
【００３３】
添付図面に示す実施形態では、上記のようにベース部材６ｃに設けた傾斜孔よりなる固着具挿通孔１２から固着具１１を斜めに挿入して壁１に固着するものである。つまり、ブラケット本体６ａは直接固着具１１で壁１に取付けることなく、ブラケット本体６ａにねじ具２３で取付けたベース部材６ｃを固着具１１で壁１に取付けることでブラケット本体６ａを間接的に取付けるようになっており、これにより、ブラケット本体６ａが破損した場合などねじ具２３を外すことで壁１にベース部材６ｃを残したままブラケット本体６ａを取外すことができ、交換して取付ける場合はねじ具２３を用いてベース部材６ｃに取付けることで、固着具１１を取外す必要がない。
【００３４】
手摺り棒４は外面に長手方向にわたって位置決め用凹部２６が設けてあり、この手摺り棒４の端部に保護カバー２５を被嵌する。保護カバー２５を手摺り棒４の端部に被嵌した状態で手摺り棒４の手摺り棒取付け部５に近づけ、手摺り棒取付け部５に突設した位置決め用突部２４を開口窓部３６内に挿入して位置決め用凹部２６に嵌め込むと共に、この状態で手摺り棒４に対して保護カバー２５を周方向に少し回して嵌め込み凹部３８に手摺り棒取付け部５の受け面部５ａを嵌め込んで被挟持部３７に受け面部５ａを当接する。
【００３５】
このように手摺り棒４と手摺りブラケット６の手摺り棒取付け部５との位置決め及び手摺り棒４の端部に嵌め込んだ保護カバー２５と手摺りブラケット６との位置決めを行った状態で、複数の固着具挿入孔３０からそれぞれ固着具１１を挿入して手摺り棒４に固着することで、手摺り棒４の周方向の所定位置に手摺り棒取付け部５を取付けることができる。上記のように固着具１１を固着すると、保護カバー２５の開口窓部３６の周囲の被挟持部３７が手摺り棒４と受け面部５ａとにより挟持され、保護カバー２５が手摺り棒４と手摺りブラケット６とに保持固定されることになる。
【００３６】
ここで、補強部材６ｄの取付け部分においては補強部材６ｄの他端部に設けた孔２９から固着具１１を挿入して固着具挿入孔３０を通して手摺り棒４に固着するものであり、これにより、手摺り棒４はブラケット本体６ａと、補強部材６ｄとに固着具１１で固着されることになり、また、補強部材６ｄは既に述べたようにねじ具２３によりベース部材６ｃに固着し、ベース部材６ｃを壁１に固着してあるので、アルミダイキャスト製のブラケット本体６ａが仮に外力により破損してもステンレス製の補強部材６ｄ、ベース部材６ｃを介して手摺り棒４が壁１に固定してあることで、壁１から手摺り棒４が外れないようにできる。
【００３７】
ブラケット本体６ａの凹所１７の開口部にブラケットカバー６ｂを着脱自在に取付けて凹所１７を覆い隠す。
【００３８】
なお、上記実施形態では手摺り棒４の端部に保護カバー２５を被嵌して該保護カバー２５を介して手摺り棒４の端部を手摺りブラケット６に取付けた例を示したが、保護カバー２５を被嵌することなく直接手摺り棒４を手摺りブラケット６に取付けてもよい。
【００３９】
上記した例では端部に笠木１３を設けた壁１の出隅部２に手摺りブラケット６により手摺り棒４を取付ける例を示したが、図６のような笠木１３を設けない壁１（コーナ壁）の出隅部２にも上記と同様にして取付けることができる。
【図面の簡単な説明】
【００４０】
【図１】本発明の一実施形態の断面図である。
【図２】同上の斜視図である。
【図３】分解斜視図である。
【図４】同上に用いるブラケット本体を示し、（ａ）は正面図であり、（ｂ）は平面図であり、（ｃ）は背面図であり、（ｄ）は右側面図であり、（ｅ）は左側面図であり、（ｆ）は断面図である。
【図５】同上に用いるベース部材を示し、（ａ）は平面図であり、（ｂ）は断面図である。
【図６】コーナ壁に手摺りブラケットを取付ける例を示す断面図である。
【図７】従来例の手摺りブラケットを壁に取付けた状態の断面図である。
【図８】端部に笠木を設けた壁の出隅に従来例の手摺りブラケットを取付ける場合の問題点を示す断面図である。
【符号の説明】
【００４１】
１  壁
１ａ  壁面
２  出隅部
３  出隅取付け部
４  手摺り棒
５  手摺り棒取付け部
６  手摺りブラケット
７  面
８  面
９  壁固定部
１０  位置決め突部
１１  固着具
１２  固着具挿通孔
【図１】
2007085110.tif 000003
【図２】
2007085110.tif 000004
【図３】
2007085110.tif 000005
【図４】
2007085110.tif 000006
【図５】
2007085110.tif 000007
【図６】
2007085110.tif 000008
【図７】
2007085110.tif 000009
【図８】
2007085110.tif 000010